(57)【要約】      （修正有）【課題】海洋における発電のための動力源となる海洋水を高い陸地に常時導入出来る方法を提供する。【解決手段】リアス式沿岸を利用しその湾内に沿うように突堤を海側へ一定の角度で開いた突堤を構築し波高さの倍加するポイントを複数確保できる突堤構築長を決定し、陸地沿岸沿いに突堤を構築する。海洋水取り入れをＷ型突堤構築構造としＷ型突堤のー方はＶ字状突堤１から抑制タイプ躯体導入口から海洋水上昇限界高さ迄上昇出来る構築構造とし、ー方、海洋波高さが小さい場合又は大きい場合でも海洋水を導入出来るダム貯水水域構築構造とし、大きい場合は自由に侵入させ４５ｍの排水口をオーバーフローさせ貯水した海洋水は発電用タワー排水口から開水路へ導き発電装置を経て海洋へ排出する。【選択図】図１
2018066250.tif 000002
【特許請求の範囲】
【請求項１】
海洋沿岸に人為的に海側へ一定の角度に開いたＶ字状突堤を構築することにより海洋水を陸地側へ高く導入することにで、陸地側に設けた各施設に於いて、発電、魚類の養殖、各海産物の養殖及びレジャー施設を構築することにより、地域産業に貢献すべく、考えた施設構築構造で、海洋水を常時如何に高く導入出来るか、海洋のエネルギーの大きさに対し導入する各施設の安全性から設置場所の選定を１、リアス式沿岸湾内と  ２、沿岸線にＶ字状突堤の中心線が直角の場合又は沿岸線に一定の入斜角度を持った構築構造に区分した突堤施設構築構造とする、１、リアス式沿岸の場合はリアス式沿岸の両沿岸内の湾内に両沿岸沿えに大口径２号港湾型鋼管とケーソン駆体、テトラポットの組み合わせ構築とした構造、２、の沿岸線にＶ字状中心線が直角と入斜角度を持つ場合はＶ字型突堤全長の１／３から１／２を陸地側へ開削構築し、残長分は海洋側へ構築とする、構築躯体構造はリアス式沿岸構造と同じ組み合わせ構築とし、海洋水域貯水地は、Ｖ字突堤全長１／３から１／２のエリヤに設置した施設構築構造を特許請求の範囲とする、
【請求項２】
人為的に構築するＶ字型突堤の構築長は３００ｍから１０００ｍの構築長とし、リアス式、及び２、のＶ字型突堤終端部陸側から８０ｍから１５０ｍ海洋側へ入った位置より、片方沿岸に更にＶ字型突堤を構築した、Ｗ型突堤構築構造とし、陸地から８０ｍから１５０ｍ海側へ入った位置から両沿岸迄海洋中にダムを構築し、海洋水域貯水池を設けた構築構造とする、ダム、の高さは５０ｍとし貯水高さは４５ｍとし、海洋に於ける各種波高さが小さい場合、又陸地部における各施設の放流水を貯水し、海洋水を海に放流する過程に於いて、突堤壁面と沿岸陸地間に設けた複数段発電施設を通じ、発電の出来る構築構造で、発電後は海洋水を海洋に放出する構築構造施設を特許請求の範囲とする、
【請求項３】
Ｖ字型突堤内に設けた、Ｗ型突堤の一方側のＶ字型突堤は抑制型タイプ、コンクリート駆体とし、躯体構築構造は海洋水導入側口と立ち上がり部までの２／３迄は蜂の巣構造又は格子状構築構造として残り１／３はコンクリート躯体構築構造とし、内部構造はスパイラル式螺旋構造として、立上げ部も同じ構造断面とした構造で、海洋水導入口断面積と放出口断面積比は流入経路距離により決定し、海洋水導入の流速を加速出来る構築構造とする、尚導入水の発電装置落水部も同じ構造として落下水流速度を強め、発電施設のタービン回転をパワーアップ出来る構造とした構築構造を特許の請求範囲とする、１、及び２、の施設の場合も同じ構築構造とする、
【請求項４】
Ｗ型突堤の一方は海洋水の波高さが小さい場合と大きい場合にダムに海洋水を貯水出来る構築構造とし、大きい場合は常時海洋水域貯水池は４５ｍ高さで放出できる構築構造とし、海洋水域貯水池の沿岸側部にはタワー式放出複数段自動ゲートを設置し、沿岸壁部と沿岸陸地部間には鉄筋コンクリート開水路を設置し、開水路のの延長距離内には複数の回転式落差発電施設を複数個所設置して発電出来る構築構造施設を特許請求の範囲とする、
【請求項５】
Ｗ型突堤構築構造は１、リアス式沿岸及び２、沿岸線直線の場合も同じ構築構造とする、突堤の海洋側への開き角度はＶ字型単体の場合とＷ型突堤の場合も３０度から６０度の範囲とし、１／４開き幅を縮小することにて、海洋水高さを倍加出来きることは理論解明も出来お、尚海洋側で９０度から１２０度開き一定の距離陸地側へ入った位置から６０度から３０度まで角度の縮小変更も組み合わせを含めた構築構造施設を特許請求の範囲とする、
【請求項６】
Ｖ字型突堤又はＷ型突堤の海底勾配については１／１６浅くなると海洋波高さが倍加する理論公式も出来ているが、海洋側から陸地へ向かって１／１６勾配で海底を構築し、一定の位置に一定の水平部を複数段、設けた構造構築も特許請求の範囲とする
【請求項７】
海洋水導入立上げ部構築構造は外側を鉄筋コンクリート構築構造とし迄内部はタービンポンプ迄は炭素繊維系材料を使用したスパイラル式螺旋形状構築構造を特許請求の範囲とする
【発明の詳細な説明】
【技術分野】
【０００１】海洋に於ける発電方式は世界各国で研究開発が活発に進められており、わが国に於いても可也研究がされているものと推察できますが、これからの分野と考えられます、
【背景技術】
【０００２】１、の三陸沿岸はリアス式地形のためＶ字型形状の突堤を構築するに当たり、経済的で安全なで構築物が出来る、尚本工法で課題である、漂砂現象が生じにくい地形現象がある、又は海洋浮遊物の進入が一般的沿岸より少ない背景と突堤構築物を長いスパン取ることが可能であるこれらの背景を基に計画出来る、２、の沿岸線に対しＶ字突堤の中心線が直角の場合と一定の入斜角度で構築する場合海洋浮遊物漂砂に対応する手段として、Ｖ字状突堤沿えに海底に海洋に向かって海洋水域貯水地排水口から突堤海洋側終端迄、排水口から排出管を設置し沿岸流に方向性を持たせ解決策とした構築構造を特許請求の範囲とする。
【発明の開示】
【発明が解決しようとする課題】
【０００３】発電の原動力又は他種目利用にあたり海洋水を常時陸地側へより高く導入出来るか又海洋うねり、高潮高波、津波等に対し、如何に安全に経済的に海洋水導入構築物を構築できるか、又海洋水条件の変化に伴う対策を如何するか、浮遊物、漂砂問題を如何にするかが課題であった、
【課題を解決する手段】
【０００４】安全で経済的面と課題の諸問題をクリアする場合は三陸沿岸及びリアス式形状の沿岸を選定し本施設を構築することにより各課題をクリアできる、
【発明の実施形態】
【０００５】本発明を実施するには海洋水域面を利用するので国家プロジェクトとし、各電力会社、各商社に於いて新エネルギー開発プロジェクト形態組織にて行なうことが必要である、
【発明の効果】
【０００６】リアス式地形沿岸は断崖地形が多くへんぴな場所が多く魚業権に対しても解決しやすく地域産業発展に貢献が出来る、一箇所の設置について多くの発電量を生み出せ、その他の産業施設誘致が出来地域発展には適合している、魚業関係者に養殖水域権与えたり、観光施設誘致し地域発展に大きく貢献できる、
【図面の簡単な説明】
【０００７】
【図１】海洋水域貯水池利用発電方式及び他種目利用施設構築構造平面図
【図２】海洋水域貯水地利用発電方式及び他種目利用施設構築構造断面図
【符号の説明】
【０００８】  Ａ、突堤湾内水域
Ｂ、海洋水域貯水池
Ｃ、魚業養殖場、海産物養殖場、レジャー施設設置場所
１、Ｖ字型突堤
２、大口径２号港湾型鋼管
３、ケーソン駆体（１０ｍ×２０ｍ×１０ｍ御影石中詰め）
４、外周道路（最低幅員１０ｍ）
５、海洋水排出タワー
６、抑制型コンクリート躯体（海洋水導入部、蜂の巣構造又は格子状構造）
７、海洋水導入躯体部と立ち上がり部基礎コンクリート
８、発電施設用立ち上がり部（鉄筋コンクリート躯体構築、内部はスパイラル螺旋形状構造炭素繊維材使用）
９、魚業養殖、海産物養殖、レジャー施設、海洋産業角施設
１０、発電装置
１１、発電用タービン
１２、基礎杭
１３、発電用排水パイプ
１４、Ｃ地区排水タワー
１５、Ｃ地区排水管
１６、Ｂ地区発電装置兼用排水路躯体
１７、落差、回転式発電装置（３０ｍ毎複数機）
１８、Ｃ地区貯水池コンクリート壁
１９、大口径２号港湾型鋼管（コンクリート中詰め）
２０、沿岸流（沿岸流に方向性を与える水流）
２１、上昇海洋水流
２２、抑制型躯体内水流
２３、テトラポット積み法面
２４、海洋水導入方向１、及び  ２、
２５、ダム上部排水口（海洋水オーバーフロー堰）
２６、ダムサイトから海洋側へ排出する排出管（沿岸流に変化を与え漂砂、海洋浮遊物の進入を防止する役割管）
【図１】
2018066250.tif 000003
【図２】
2018066250.tif 000004